(57)【要約】【課題】  ユーザの経時的な嗜好変化を捉えつつ、多くのコンテンツをポータブルデバイスに転送することができるコンテンツ転送システムを提供すること。【解決手段】  コンテンツの再生履歴を、再生されたコンテンツの、複数の所定の期間毎の嗜好ポイントを含む第２の再生履歴として管理し、各所定の期間に登録されているコンテンツのうち、嗜好ポイントが高いコンテンツを、各所定の期間に対して設定される許容量だけポータブルデバイスにする。また、現在の日付に近い期間ほど許容量を大きく設定することによって、ユーザが直近に頻繁に聴いたコンテンツが多くポータブルデバイスに転送され、昔に聞いたコンテンツは少量に転送される。【選択図】  図４
2008226318.tif 000002
【特許請求の範囲】
【請求項１】
コンテンツ記録装置と該コンテンツ記録装置に接続可能なポータブルデバイスとを備え；
該ポータブルデバイスが、
該コンテンツを記憶するための記憶手段と、
該コンテンツ記録装置から転送されるコンテンツを該記憶手段に記録する記録手段と、
該コンテンツを再生する再生手段と、
該再生手段によって再生された該コンテンツの、再生日毎の嗜好ポイントを含む第１の再生履歴を作成する第１の再生履歴作成手段と、
該再生手段によって該コンテンツが再生される毎に第１の再生履歴を更新する更新手段とを有し；
該コンテンツ記録装置が、
コンテンツを記憶するための記憶手段と、
該コンテンツを再生する再生手段と、
該ポータブルデバイスから第1の再生履歴を取得する取得手段と、
該第１の再生履歴を基に、再生された該コンテンツの、複数の所定の期間毎の嗜好ポイントを含む第２の再生履歴を作成または更新する第２の再生履歴作成更新手段と、
該第２の再生履歴の該各所定の期間に登録されているコンテンツのうち、嗜好ポイントが高いコンテンツから順に、所定の数量だけ該ポータブルデバイスに転送する転送手段とを有する、コンテンツ転送システム。
【請求項２】
コンテンツ記録装置と該コンテンツ記録装置に接続可能なポータブルデバイスとを備え；
該ポータブルデバイスが、
該コンテンツを記憶するための記憶手段と、
該コンテンツ記録装置から転送されるコンテンツを該記憶手段に記録する記録手段と、
該コンテンツを再生する再生手段とを有し；
該コンテンツ記録装置が、
コンテンツを記憶するための記憶手段と、
該コンテンツを再生する再生手段と、
該再生手段よって再生された該コンテンツの、複数の所定の期間毎の嗜好ポイントを含む第2の再生履歴を作成する第2の再生履歴作成手段と、
該再生手段によって該コンテンツが再生される毎に、該第2の再生履歴を更新する更新手段と、
該第２の再生履歴の該各所定の期間に登録されているコンテンツのうち、嗜好ポイントが高いコンテンツから順に、所定の数量だけ該ポータブルデバイスに転送する転送手段とを有する、コンテンツ転送システム。
【請求項３】
コンテンツ記録装置と該コンテンツ記録装置に接続可能なポータブルデバイスとを備え；
該ポータブルデバイスが、
該コンテンツを記憶するための第１の記憶手段と、
該コンテンツ記録装置から転送されるコンテンツを該記憶手段に記録する記録手段と、
該コンテンツを再生する第１の再生手段と、
該再生手段によって再生された該コンテンツの、再生日毎の嗜好ポイントを含む第１の再生履歴を作成する第１の再生履歴作成手段と、
該再生手段によって該コンテンツが再生される毎に第１の再生履歴を更新する更新手段とを有し；
該コンテンツ記録装置が、
コンテンツを記憶するための第２の記憶手段と、
該コンテンツを再生する第２の再生手段と、
該第２の再生手段よって再生された該コンテンツの、複数の所定の期間毎の嗜好ポイントを含む第２の再生履歴を作成する第２の再生履歴作成手段と、
該ポータブルデバイスから第１の再生履歴を取得する取得手段と、
該第１の再生履歴を基に、第2の再生履歴を更新する第2の再生履歴更新手段と、
該第２の再生履歴の該各所定の期間に登録されているコンテンツのうち、嗜好ポイントが高いコンテンツから順に、所定の数量だけ該ポータブルデバイスに転送する転送手段とを有する、コンテンツ転送システム。
【請求項４】
前記コンテンツ記憶装置が、前記所定の期間毎に、前記ポータブルデバイスに転送可能なコンテンツの合計サイズである許容量を設定する許容量設定手段をさらに有し、
該許容量設定手段が、現在の日付に近い該所定の期間ほど該許容量を大きく設定する、請求項１〜３のいずれかに記載のコンテンツ転送システム。
【請求項５】
前記許容量設定手段が、前記所定の期間における前記許容量のうち、コンテンツ転送に使用しない余りの容量を、当該他の所定の期間の許容量に加算する、請求項４に記載のコンテンツ転送システム。
【請求項６】
前記コンテンツ記憶装置に新規コンテンツがある場合、もしくは、ユーザが意図的に前記ポータブルデバイスに転送を所望する指定コンテンツがある場合、優先的に該ポータブルデバイスに転送される、請求項１〜５に記載のコンテンツ転送システム。
【請求項７】
前記コンテンツ記憶装置が、
前記コンテンツのフォーマットまたはビットレートを変換する変換手段をさらに有し、
該変換手段が、現在の日付に近い前記所定の期間に登録されていた該コンテンツほど、高品質なフォーマットまたはビットレートに変換する、請求項１〜６のいずれかに記載のコンテンツ転送システム。
【請求項８】
前記変換手段において前記コンテンツを変換するフォーマットまたはビットレートに対して設定される重要度ｎが前記第２の再生履歴に対して設定され；
該重要度ｎと、
該重要度ｎである該第２の再生履歴に対して設定される前記許容量Ｙｎと、
前記ポータブルデバイスが有する記憶手段の残容量Ｌと、
該重要度ｎであるフォーマットまたはビットレートに変換した場合のコンテンツ１つあたりの目安容量Ｖｎと、
任意の数ｉとが、
【数１】
2008226318.tif 000006
の関係にある、請求項７に記載のコンテンツ転送システム。
【請求項９】
前記コンテンツ記憶装置に新規コンテンツがある場合、もしくは、ユーザが意図的に前記ポータブルデバイスに転送を所望する指定コンテンツがある場合、
該新規コンテンツまたは指定コンテンツは前記変換手段によって高品質なフォーマットまたはビットレートに変換され、優先的に該ポータブルデバイスに転送される、請求項７または８に記載のコンテンツ転送システム。
【請求項１０】
転送されたコンテンツを記憶手段に記録して該コンテンツを再生することができるポータブルデバイスと接続する接続手段と、
該コンテンツを記憶するための記憶手段と、
該コンテンツを再生する再生手段と、
該再生手段よって再生された該コンテンツの、複数の所定の期間毎の嗜好ポイントを含む第2の再生履歴を作成する第2の再生履歴作成手段と、
該ポータブルデバイスから、該ポータブルデバイスで再生された該コンテンツの、再生日毎の嗜好ポイントを含む第1の再生履歴を取得する取得手段と、
該第１の再生履歴を基に、第2の再生履歴を更新する第2の再生履歴更新手段と、
該第２の再生履歴の該各所定の期間に登録されているコンテンツのうち、嗜好ポイントが高いコンテンツから順に、所定の数量だけ該ポータブルデバイスに転送する転送手段とを有する、コンテンツ記憶装置。
【発明の詳細な説明】
【技術分野】
【０００１】
本発明はコンテンツ転送システムに関し、さらに詳しくは、比較的小容量の記憶媒体を備えたポータブルデバイス等と、大容量の記憶媒体を備えたパーソナルコンピュータ等とを互いに接続し、パーソナルコンピュータからポータブルデバイスへコンテンツを転送することができるコンテンツ転送システムに関する。
【背景技術】
【０００２】
現在、ポータブルデバイスの普及により、パーソナルコンピュータなどの電子機器から、コンテンツを選択してポータブルデバイスに転送し、ポータブルデバイスによってコンテンツを視聴することが増加している。パーソナルコンピュータは、大容量の記憶媒体（ハードディスクドライブなど）を有し、その記憶媒体に大量のコンテンツを蓄積している。ポータブルデバイスは、備える記憶媒体がパーソナルコンピュータに比べて容量が小さいので、蓄積できるコンテンツの数に限界がある。
【０００３】
従来技術では、「直近の所定期間で再生回数が所定回数以上」、「ビットレートが所定ビットレート以内」などの条件をユーザが設定してプレイリストを作成し、そのプレイリストにリストアップされたコンテンツのみを転送する方法がある。しかし結局のところ、ポータブルデバイスの記憶媒体の使用率を節約して極力多くのコンテンツをポータブルデバイスに転送するためには、ユーザがコンテンツの状況（再生頻度やビットレートなど）を調べたり、複数の条件を組み合わせたりする必要があるなど、手間がかかり非常に煩わしい。
【０００４】
また、下記特許文献１では、パーソナルコンピュータおよびポータブルデバイスにおける再生回数やユーザによる再生操作（例えばスキップなど）を基にした嗜好ポイントが大きいコンテンツを優先的にポータブルデバイスに自動的に転送し、嗜好ポイントが小さいコンテンツはポータブルデバイスから自動的に削除する方法が開示されている。しかし、このような手法では、スキップ操作などで嗜好ポイントを加減しているものの、嗜好ポイントが大きいものは常にポータブルデバイスへ転送されることになり、ポータブルデバイスに転送されるコンテンツの変化が少ないという問題がある。さらに、パーソナルコンピュータに新規コンテンツが追加され、それをポータブルデバイスで視聴したい場合であっても、その新規コンテンツはパーソナルコンピュータに追加された時点では他のコンテンツに比べて嗜好ポイントが低いので、ポータブルデバイスに転送されない。
【特許文献１】特開２００５−１６４９８４号
【発明の開示】
【発明が解決しようとする課題】
【０００５】
本発明は上記従来の課題を解決するためになされたものであり、その目的とするところは、ユーザの経時的な嗜好変化を捉えつつ、多くのコンテンツをポータブルデバイスに転送することができるコンテンツ転送システムを提供することである。
【課題を解決するための手段】
【０００６】
本発明の好ましい実施形態によるコンテンツ転送システムは、コンテンツ記録装置と該コンテンツ記録装置に接続可能なポータブルデバイスとを備え；該ポータブルデバイスが、該コンテンツを記憶するための記憶手段と、該コンテンツ記録装置から転送されるコンテンツを該記憶手段に記録する記録手段と、該コンテンツを再生する再生手段と、該再生手段によって再生された該コンテンツの、再生日毎の嗜好ポイントを含む第１の再生履歴を作成する第１の再生履歴作成手段と、該再生手段によって該コンテンツが再生される毎に第１の再生履歴を更新する更新手段とを有し；該コンテンツ記録装置が、コンテンツを記憶するための記憶手段と、該コンテンツを再生する再生手段と、該ポータブルデバイスから第1の再生履歴を取得する取得手段と、該第１の再生履歴を基に、再生された該コンテンツの、複数の所定の期間毎の嗜好ポイントを含む第２の再生履歴を作成または更新する第２の再生履歴作成更新手段と、該第２の再生履歴の該各所定の期間に登録されているコンテンツのうち、嗜好ポイントが高いコンテンツから順に、所定の数量だけ該ポータブルデバイスに転送する転送手段とを有する。
【０００７】
本発明の別の好ましい実施形態によるコンテンツ転送システムは、コンテンツ記録装置と該コンテンツ記録装置に接続可能なポータブルデバイスとを備え；該ポータブルデバイスが、該コンテンツを記憶するための記憶手段と、該コンテンツ記録装置から転送されるコンテンツを該記憶手段に記録する記録手段と、該コンテンツを再生する再生手段とを有し；該コンテンツ記録装置が、コンテンツを記憶するための記憶手段と、該コンテンツを再生する再生手段と、該再生手段よって再生された該コンテンツの、複数の所定の期間毎の嗜好ポイントを含む第2の再生履歴を作成する第2の再生履歴作成手段と、該再生手段によって該コンテンツが再生される毎に、該第2の再生履歴を更新する更新手段と、該第２の再生履歴の該各所定の期間に登録されているコンテンツのうち、嗜好ポイントが高いコンテンツから順に、所定の数量だけ該ポータブルデバイスに転送する転送手段とを有する。
【０００８】
本発明のさらに別の好ましい実施形態によるコンテンツ転送システムは、コンテンツ記録装置と該コンテンツ記録装置に接続可能なポータブルデバイスとを備え；該ポータブルデバイスが、該コンテンツを記憶するための記憶手段と、該コンテンツ記録装置から転送されるコンテンツを該記憶手段に記録する記録手段と、該コンテンツを再生する再生手段と、該再生手段によって再生された該コンテンツの、再生日毎の嗜好ポイントを含む第１の再生履歴を作成する第１の再生履歴作成手段と、該再生手段によって該コンテンツが再生される毎に第１の再生履歴を更新する更新手段とを有し；該コンテンツ記録装置が、コンテンツを記憶するための記憶手段と、該コンテンツを再生する再生手段と、該再生手段よって再生された該コンテンツの、複数の所定の期間毎の嗜好ポイントを含む第２の再生履歴を作成する第２の再生履歴作成手段と、該ポータブルデバイスから第１の再生履歴を取得する取得手段と、該第１の再生履歴を基に、第2の再生履歴を更新する第2の再生履歴更新手段と、該第２の再生履歴の該各所定の期間に登録されているコンテンツのうち、嗜好ポイントが高いコンテンツから順に、所定の数量だけ該ポータブルデバイスに転送する転送手段とを有する。
【０００９】
好ましい実施例においては、上記コンテンツ記憶装置が、上記所定の期間毎に、上記ポータブルデバイスに転送可能なコンテンツの合計サイズである許容量を設定する許容量設定手段をさらに有し、該許容量設定手段が、現在の日付に近い該所定の期間ほど該許容量を大きく設定する。
【００１０】
好ましい実施例においては、上記許容量設定手段が、上記所定の期間における上記許容量のうち、コンテンツ転送に使用しない余りの容量を、当該他の所定の期間の許容量に加算する。
【００１１】
好ましい実施例においては、上記コンテンツ記憶装置に新規コンテンツがある場合、もしくは、ユーザが意図的に上記ポータブルデバイスに転送を所望する指定コンテンツがある場合、優先的に該ポータブルデバイスに転送される。
【００１２】
好ましい実施例においては、上記コンテンツ記憶装置が、上記コンテンツのフォーマットまたはビットレートを変換する変換手段をさらに有し、該変換手段が、現在の日付に近い上記所定の期間に登録されていた該コンテンツほど、高品質なフォーマットまたはビットレートに変換する。
【００１３】
好ましい実施例においては、上記変換手段において上記コンテンツを変換するフォーマットまたはビットレートに対して設定される重要度ｎが上記第２の再生履歴に対して設定され；該重要度ｎと、該重要度ｎである該第２の再生履歴に対して設定される上記許容量Ｙｎと、上記ポータブルデバイスが有する記憶手段の残容量Ｌと、該重要度ｎであるフォーマットまたはビットレートに変換した場合のコンテンツ１つあたりの目安容量Ｖｎと、任意の数ｉとが、
【数１】
2008226318.tif 000003
の関係にある。
【００１４】
好ましい実施例においては、上記コンテンツ記憶装置に新規コンテンツがある場合、もしくは、ユーザが意図的に上記ポータブルデバイスに転送を所望する指定コンテンツがある場合、該新規コンテンツまたは指定コンテンツは上記変換手段によって高品質なフォーマットまたはビットレートに変換され、優先的に該ポータブルデバイスに転送される。
【００１５】
本発明の好ましい実施形態によるコンテンツ記憶装置は、転送されたコンテンツを記憶手段に記録して該コンテンツを再生することができるポータブルデバイスと接続する接続手段と、該コンテンツを記憶するための記憶手段と、該コンテンツを再生する再生手段と、該再生手段よって再生された該コンテンツの、複数の所定の期間毎の嗜好ポイントを含む第2の再生履歴を作成する第2の再生履歴作成手段と、該ポータブルデバイスから、該ポータブルデバイスで再生された該コンテンツの、再生日毎の嗜好ポイントを含む第1の再生履歴を取得する取得手段と、該第１の再生履歴を基に、第2の再生履歴を更新する第2の再生履歴更新手段と、該第２の再生履歴の該各所定の期間に登録されているコンテンツのうち、嗜好ポイントが高いコンテンツから順に、所定の数量だけ該ポータブルデバイスに転送する転送手段とを有する。
【発明の効果】
【００１６】
本発明によれば、コンテンツの再生履歴を、再生された該コンテンツの、複数の所定の期間毎の嗜好ポイントを含む第２の再生履歴として管理し、各所定の期間に登録されているコンテンツのうち、嗜好ポイントが高いコンテンツを、各所定の期間に対して設定される許容量だけポータブルデバイスにする。また、現在の日付に近い（以下、直近）の期間ほど許容量を大きく設定することによって、ユーザが直近に頻繁に聴いたコンテンツが多くポータブルデバイスに転送され、昔に聞いたコンテンツは少量に転送される。その結果、ユーザの経時的な嗜好変化を捉えたコンテンツ転送を行うことができ、さらにはポータブルデバイスの記憶装置の容量を有効に利用して、ユーザが所望する可能性の高いコンテンツをポータブルデバイスに転送することができる。
【発明を実施するための最良の形態】
【００１７】
以下、本発明の好ましい実施形態によるコンテンツ転送システムについて、当該コンテンツ転送システムが適用されるパーソナルコンピュータ１００およびポータブルデバイス２００を例に、図を参照して説明するが、本発明はこれらの実施形態には限定されない。なお、図中同一又は相当部分には同一符号を付してその説明を援用する。
【００１８】
まず、本発明の実施形態であるコンテンツ転送システムを、図１を参照して詳細に説明する。図１は、コンテンツ転送システムを示す概略ブロック図である。
【００１９】
コンテンツ転送システムは、パーソナルコンピュータ１００およびポータブルデバイス２００を備え、パーソナルコンピュータ１００とポータブルデバイス２００とが相互に接続されている。
【００２０】
パーソナルコンピュータ１００は、制御手段１１０、記憶装置１２０、操作手段１３０、再生手段１４０、通信手段１５０およびドライブ装置１６０を備える。
【００２１】
制御手段１１０は、パーソナルコンピュータ１００の各部にコマンドを出力して各部を制御するものであり、ＣＰＵ１１１、ＲＯＭ１１２、およびＲＡＭ１１３を含む。ＲＯＭ１１２は、ＣＰＵ１１１が使用するパーソナルコンピュータ１００の動作プログラム等が記憶されている。ＲＡＭ１１３は、ＣＰＵ１１１により実行される各処理において、ＲＯＭ１１２から読み出されたプログラム、入力または出力データなどを一時的に格納するワークエリアを形成する。ＣＰＵ１１１は、ＲＯＭ１１２や記憶装置１２０に格納されている各種プログラムを読み出し、ＲＡＭ１１３のワークメモリに展開して当該プログラムに従って各種処理を実行する。
【００２２】
記憶装置１２０は、複数のコンテンツ（デジタル曲データ）を蓄積する。さらに、記憶装置１２０には、重要度リスト、再生履歴リスト、許容量リスト、転送コンテンツリスト、および目安容量リストが格納される。
【００２３】
図２は、重要度リストを示す図である。重要度リストは、重要度ｎと、当該重要度ｎに対して設定される変換ビットレートとが登録されている。コンテンツは、当該重要度リストに登録された変換ビットレートのうちのいずれかに変換されてポータブルデバイス２００に転送される。変換ビットレートは、図３に示すように、音声処理部１４１で変換可能な全てのビットレートの中からユーザによって予め指定されるビットレートである。その指定されたビットレートに対し、高ビットレートほど高い重要度が設定される。
【００２４】
図４は、再生履歴リストを示す図である。再生履歴リストは、複数の期間の再生履歴Ｈ１〜Ｈｎが登録されている。当該期間は所定の期間Ｔであり、予めユーザによって設定される。言い換えると、再生履歴リストは、再生されたコンテンツの、複数の所定の期間毎の嗜好ポイントを含む再生履歴でもある。再生履歴Ｈｎには、所定の期間Ｔに再生されたコンテンツ名と、当該コンテンツが所定の期間Ｔにおいてパーソナルコンピュータ１００およびポータブルデバイス２００におけるコンテンツの再生回数を含む嗜好ポイントとを含む。本実施例では、所定の期間Ｔを１０日とし、現在から１０日毎の再生履歴が、上述の重要度リストで設定された重要度ｎの度数分だけ再生履歴リストに登録されている。また、直近の期間の再生履歴Ｈｎほど高い重要度ｎが設定される。具体的には、ユーザが図２に示す８つのビットレートを指定した場合は、重要度が１〜８となり、図４に示すように、再生履歴リストに重要度１〜８が設定された８つの再生履歴Ｈ１〜Ｈ８が登録される。再生履歴Ｈｎには、コンテンツ名の代わりに、コンテンツＩＤなどのコンテンツを識別することができる情報が登録するようにしても良い。
【００２５】
図５は、許容量リストを示す図である。許容量リストは、重要度リストで設定された重要度ｎと、その重要度ｎに対して設定される許容量Ｙｎとを含む。許容量Ｙｎは、ポータブルデバイス２００の記憶装置２２０の残容量Ｌのうち、コンテンツの格納に使用する容量であり、各重要度ｎに対して設定される。また、重要度ｎは再生履歴Ｈｎに対して設定されているので、実質的に再生履歴Ｈｎ（または各期間）に対して設定される許容量Ｙｎである。
【００２６】
図６は、転送コンテンツリストを示す図である。転送コンテンツリストは、コンテンツ名と重要度ｎとを含む。この転送コンテンツリストに登録されたコンテンツが、パーソナルコンピュータ１００からポータブルデバイス２００へ転送される。なお、本実施例において、転送コンテンツリストに登録されるコンテンツは、各再生履歴Ｈｎに登録されているコンテンツのうち、嗜好ポイントが高いコンテンツが登録される。なお、転送コンテンツリストには、コンテンツ名の代わりに、コンテンツＩＤなどのコンテンツを識別することができる情報が登録するようにしても良い。
【００２７】
図７は、目安容量リストを示す図である。目安容量リストは、ビットレートと、目安容量Ｖとを含む。目安容量Ｖとは、所定の再生時間を有するコンテンツを、後述の音声処理部１４１によってビットレートに変換した場合の１曲あたりのデータ容量を示す。本実施例の場合、再生時間４分のコンテンツ（例えば、フォーマットがｍｐ３、でサンプリングビットレートが４４．１ｋＨｚ）を、図７に示す３２０ｋｂｐｓから１６ｋｂｐｓまでのビットレートに変換したときのデータ容量を目安容量Ｖとしている。
【００２８】
操作手段１３０は、再生キー、テンキー、ＳＫＩＰ ＵＰ／ＤＯＷＮキー、停止キー、ＥＪＥＣＴキー、ダイヤルキー等の各種機能キーを備え、キー操作による操作信号を制御手段１１０へ出力する。操作手段１３０は、リモートコントロールによる操作信号を制御手段１１０へ出力するようにしてもよい。
【００２９】
再生手段１４０は、記憶装置１２０に蓄積されているコンテンツを、ＣＰＵ１１０の命令に従って再生する。再生手段１４０は、音声処理部１４１と、Ｄ／Ａコンバータ１４２と、増幅部１４３とを含む。音声処理部１４１は、コンテンツを任意のフォーマットの任意のビットレートに圧縮・符号化する。また、記憶装置１２０から読み取られた圧縮デジタル曲データをデコードして非圧縮デジタル曲データを作成する。Ｄ／Ａコンバータ１４２は、音声処理部１４１で処理されたデジタル曲データをアナログ信号に変換する。そして、増幅手段１４３は、Ｄ／Ａコンバータ１５２から出力されたアナログ信号を増幅し、スピーカーなどに供給する。
【００３０】
通信手段１５０は、ポータブルデバイス２００と通信を行う。通信手段１５０は、ＵＳＢ（Ｕｎｉｖｅｒｓａｌ
Ｓｅｒｉａｌ Ｂｕｓ）コントローラなどを含み、ＵＳＢコードを介してポータブルデバイス１００に接続される。
【００３１】
ドライブ装置１６０は、記憶媒体であるＣＤを格納し、ＣＤに記憶されたデジタル曲データを読み出す。ドライブ装置１６０に読み出されたデジタル曲データは、音声処理部１４１によって任意のフォーマットの任意のビットレートに圧縮・符号化され、記憶装置１２０に格納される。
【００３２】
ポータブルデバイス２００は、制御手段２１０、記憶装置２２０、操作手段２３０、再生手段２４０、および通信手段２５０を備える。
【００３３】
制御手段２１０は、ポータブルデバイス２００の各部にコマンドを出力して各部を制御するものであり、ＣＰＵ２１１、ＲＯＭ２１２、およびＲＡＭ２１３を含む。ＲＯＭ２１２は、ＣＰＵ２１１が使用するポータブルデバイス２００の動作プログラム等が記憶されている。ＲＡＭ２１３は、ＣＰＵ２１１により実行される各処理において、ＲＯＭ２１２から読み出されたプログラム、入力または出力データなどを一時的に格納するワークエリアを形成する。ＣＰＵ２１１は、ＲＯＭ２１２や記憶装置２２０に格納されている各種プログラムを読み出し、ＲＡＭ２１３のワークメモリに展開して当該プログラムに従って各種処理を実行する。
【００３４】
記憶装置２２０は、パーソナルコンピュータから転送された複数のコンテンツ（デジタル曲データ）を格納する。記憶装置２２０は、例えば、ハードディスクドライブやフラッシュメモリなどである。
【００３５】
また、記憶装置２２０には、図８に示すような再生履歴が記録される。再生履歴は、コンテンツ名と、再生された日付と、その日付の嗜好ポイントとが登録される。この再生履歴は、ポータブルデバイス２００がパーソナルコンピュータ１００に接続された際に、パーソナルコンピュータ１００に転送される。
【００３６】
操作手段２３０は、再生キー、ＳＫＩＰ ＵＰ／ＤＯＷＮキー、停止キー、ダイヤルキー等の各種機能キーを備え、キー操作による操作信号を制御手段２１０へ出力する。
【００３７】
再生手段２４０は、音声処理部２４１と、Ｄ／Ａコンバータ２４２と、増幅部２４３とを含む。音声処理部２４１は、記憶装置２２０から読み取られた圧縮デジタル曲データをデコードして非圧縮デジタル曲データを作成する。Ｄ／Ａコンバータ２４２は、音声処理部２４１で処理されたデジタル曲データをアナログ信号に変換する。そして、増幅手段２４３は、Ｄ／Ａコンバータ２５２から出力されたアナログ信号を増幅し、ヘッドホンなどに供給する。
【００３８】
通信手段２５０は、パーソナルコンピュータ１００と通信を行う。通信手段２６０は、ＵＳＢコントローラなどを含み、ＵＳＢコードを介してパーソナルコンピュータ１００に接続される。
【００３９】
次に、パーソナルコンピュータ１００における再生履歴リストの更新処理に関して説明する。
【００４０】
図９は、パーソナルコンピュータ１００における再生履歴リストの更新処理を示すフロー図である。まず、ＣＰＵ１１１は、操作手段１３０からコンテンツの再生命令があったか否かを判断する（Ｓ１０１）。コンテンツの再生命令があった場合（Ｓ１０１：ＹＥＳ）、所定の期間Ｔが経過したか否かを判断する（Ｓ１０２）。Ｓ１０１において、コンテンツの再生命令がない場合は（Ｓ１０１：ＮＯ）、続けてコンテンツ再生命令を受信したか否かを監視する。次に、所定の期間Ｔが経過している場合（Ｓ１０２：ＹＥＳ）、再生履歴リストを更新する（Ｓ１０３）。具体的には、所定の期間Ｔが経過すれば、重要度２〜８の再生履歴Ｈ２〜Ｈ８が新たな再生履歴Ｈ１〜Ｈ７となり、再生履歴Ｈ８は初期化される。なお、再生履歴リストが記憶装置１２０に格納されていない場合（例えば、パーソナルコンピュータ１００で初めてコンテンツを再生する場合など）は、Ｓ１０３において作成する。次に、再生されたコンテンツの嗜好ポイントを加算する（Ｓ１０４）。具体的には、操作手段１３０からコンテンツ再生命令を受信すると、重要度が最大の再生履歴（再生履歴Ｈ８）、つまり、現在に最も近い期間の再生履歴Ｈ８において、再生されたコンテンツの嗜好ポイントを１加算する。Ｓ１０２において、所定の期間Ｔが経過していない場合（Ｓ１０２：ＮＯ）、Ｓ１０４の処理を実行する。なお、嗜好ポイントは、早送り、スキップなどを基に、加減させるようにしても良い。例えば、コンテンツ毎に、そのコンテンツの気に入り度合いを示す「お気に入り度」などを設定し、ユーザによって設定されたお気に入り度の値によって、嗜好ポイントを加減する。さらに、コンテンツをスキップした場合や、早送りによりコンテンツの再生時間のうち所定の割合以上聴かなった場合は、嗜好ポイントを減算する。
【００４１】
次に、ポータブルデバイス２００における再生履歴の更新処理に関して説明する。
【００４２】
図１０は、ポータブルデバイス２００における再生履歴の更新処理を示すフロー図である。ＣＰＵ２１１は、操作手段２３０からコンテンツの再生命令があったか否かを判断する（Ｓ２０１）。そして、コンテンツ再生命令を受信した場合（Ｓ２０１：ＹＥＳ）、図８に示す再生履歴を更新する（Ｓ２０２）。具体的には、再生履歴に、操作手段２３０からコンテンツ再生命令を受信すると、再生されたコンテンツの嗜好ポイントを１加算する。なお、再生履歴が無い場合（例えば、ポータブルデバイス２００で初めてコンテンツを再生する場合など）、Ｓ２０２において再生履歴を作成する。また、嗜好ポイントは、図８に示すように、再生日毎に記録される。Ｓ２０１において、コンテンツの再生命令があった場合は（Ｓ２０１：ＮＯ）、続けてコンテンツ再生命令を受信したか否かを監視する。
【００４３】
次に、コンテンツ転送システムについて、コンテンツ転送処理を、図１１〜１２を参照して説明する。
【００４４】
図１１は、コンテンツ転送処理を示すフロー図である。まず、ＣＰＵ１１１は、ポータブルデバイス２００がパーソナルコンピュータ１００に接続されたか否かを判断する（Ｓ１）。ポータブルデバイス２００が接続された場合（Ｓ１：ＹＥＳ）、ＣＰＵ１１１は、ポータブルデバイス２００から図８のような再生履歴を受信し、その再生履歴の情報を再生履歴リストに登録されている再生履歴Ｈ１〜Ｈ８に追加する（Ｓ２）。具体的には、受信したポータブルデバイス２００の再生履歴に登録されている、コンテンツの各再生日に対する嗜好ポイントを、その再生日を含む期間の再生履歴Ｈ１〜Ｈｎに加算する。本実施例においては、例えば、図８において１．ｍｐ３の２００７年７月５日の嗜好ポイント５は、現在の日付が２００７年２月２３日であれば、１１〜２０日前の履歴である再生履歴Ｈ７に登録されている１．ｍｐ３の嗜好ポイントに追加される。
【００４５】
次に、ＣＰＵ１１１は、ポータブルデバイス２００の残容量Ｌを調べる（Ｓ３）。本実施例においては、ポータブルデバイス２００の残容量Ｌを４ギガバイトとして説明する。次に、ＣＰＵ１１１は、ポータブルデバイス２００の残容量Ｌを基に、図５に示す許容量リストを作成する（Ｓ４）。本実施例においては、重要度ｎが高いほど、許容量Ｙｎが大きく設定される。具体的には、許容量Ｙｎは、数３に示すように、１曲あたりの目安容量Ｖｎと、重要度ｎと、所定の数値ｉとで表される。ここで、数値ｉと重要度ｎとの乗算を、重要度ｎの再生履歴Ｈｎに登録されているコンテンツのうちポータブルデバイス２００に転送するコンテンツの曲数Ｊｎと定義する。このように定義することにより、重要度ｎが高い再生履歴Ｈｎほどポータブルデバイス２００に転送するコンテンツ数を多くすることができる。そして、曲数Ｊｎに１曲あたりの目安容量Ｖｎを乗算することにより、重要度ｎの再生履歴Ｈｎに登録されているコンテンツのうちポータブルデバイス２００に転送するコンテンツの合計容量が求まる。この合計容量が許容量Ｙｎである。なお、数値ｉは、数４に示すように、許容量Ｙｎの合計がポータブルデバイス２００の記憶装置２２０の残容量Ｌと等しくなるように条件設定される数値である。図１２に、本実施例における、重要度ｎ、１曲あたりの容量Ｖ、曲数Ｊｎ、および許容量Ｙｎの具体的数値を示す。本実施例では、許容量Ｙｎの合計が４ギガバイトであることから、数３および４の式により、数値ｉが１７．２９と求まり、数３にi＝１７．２９を代入すると、図５に示すような許容量Ｙｎが求まる。
【数３】
2008226318.tif 000004
【数４】
2008226318.tif 000005
【００４６】
次に、ＣＰＵ１１１は、再生履歴指定変数ｋを重要度ｎの最大値で初期化する（Ｓ５）。再生履歴指定変数ｋは、どの再生履歴Ｈｋを参照して転送コンテンツリスト作成処理（後述のＳ６〜Ｓ８）を実行しているかを示す。本実施例では、重要度ｎの最大値が８であるので、再生履歴指定変数ｋは８で初期化される。次に、各再生履歴Ｈｋを参照して転送コンテンツリスト作成処理を実行する（Ｓ６〜Ｓ８）。まず、再生履歴指定変数ｋが０より大きいか否かを判断する（Ｓ６）。再生履歴指定変数ｋが０よりも大きい場合（Ｓ６：ＹＥＳ）、重要度がｋの再生履歴Ｈｋを参照し、ポータブルデバイス２００に転送するコンテンツを転送コンテンツリストに登録する（Ｓ７）。詳細な説明は後述するが、Ｓ７では、各再生履歴Ｈｋに登録されているコンテンツのうち、嗜好ポイントが高いコンテンツと参照している再生履歴Ｈｋの重要度ｋとが、図６のように、転送コンテンツリストに登録される。次に、再生履歴指定変数ｋをデクリメントして、Ｓ６の処理に戻る。その後、同様の処理を、ｋが０になるまでＳ６〜Ｓ８を繰り返すことにより、転送コンテンツリストを作成する。
【００４７】
Ｓ６において、再生履歴指定変数ｋが０になった場合（Ｓ６：ＮＯ）、転送コンテンツリストに登録されているコンテンツを、重要度リストで設定されたビットレートに変換する（Ｓ９）。具体的には、図２に示す重要度リストで重要度８に対してビットレート３２０ｋｂｐｓが設定されているので、図６のように転送コンテンツリストにおいて重要度８が設定されているコンテンツ（１．ｍｐ３）は３２０ｋｂｐｓにビットレート変換される。次に、ビットレート変換されたコンテンツをポータブルデバイス２００に転送する（Ｓ１０）。そして、ポータブルデバイス２００へ転送されたコンテンツを削除し（Ｓ１１）、コンテンツ転送処理を終了する。
【００４８】
次に、Ｓ７について、詳細に説明する。図１３は、Ｓ７の処理を示すフロー図である。まず、転送容量ｙを０に初期化する（Ｓ７１）。転送容量ｙは、再生履歴Ｈｋに登録されているコンテンツのうちポータブルデバイス２００に転送するコンテンツの容量の合計を示す。そして、転送容量ｙが許容量Ｙｋに達するまで、再生履歴Ｈｋに登録されているコンテンツのうち嗜好ポイントが高いコンテンツから順に転送コンテンツリストに登録する（Ｓ７２〜Ｓ７７）。具体的には、まず、再生履歴Ｈｋに、ポータブルデバイス２００へ転送する候補となるコンテンツがあるか否かを判断する（Ｓ７２）。再生履歴Ｈｋに転送候補となるコンテンツがある場合（Ｓ７２：ＹＥＳ）、再生履歴Ｈｋに登録されているコンテンツのうち嗜好ポイントが最も高いコンテンツ（以下、転送候補コンテンツ）を、重要度リストに基づくビットレートに変換したときの予測容量ｘを計算する（Ｓ７３）。具体的には、図６に示すように、転送コンテンツリストにおいて重要度８が設定されているコンテンツ（１．ｍｐ３）であれば、図２の重要度リストで重要度８に対して３２０ｋｂｐｓが設定されているので、３２０ｋｂｐｓにビットレート変換した場合のデータ容量を計算する。次に、許容量Ｙｋが、転送容量ｙと予測容量ｘとの合計よりも大きいか否かを判断する（Ｓ７４）。可容量Ｙｋが転送容量ｙと予測容量ｘとの合計よりも大きい場合（Ｓ７４：ＹＥＳ）、転送候補コンテンツを転送コンテンツリストに登録する（Ｓ７５）。具体的には、転送候補コンテンツのコンテンツ名と、そのコンテンツが登録されていた再生履歴Ｈｋの重要度ｎとを登録する。そして、転送容量ｙに予測容量ｘを加算する（Ｓ７６）。次に、登録したコンテンツに対し、無効フラグを設定し（Ｓ７７）、Ｓ７２の処理へ戻る。ここで、無効フラグとは、一度選択されたコンテンツが重複して転送コンテンツリストに登録されないようにするためのフラグである。その後、転送容量ｙがコンテンツ転送容量Ｙｋに達するまで、Ｓ７３〜Ｓ７７の処理を実行することにより、再生履歴Ｈｋに登録されているコンテンツのうち嗜好ポイントが高いコンテンツを許容量Ｙｋだけ転送コンテンツリストに登録することができる。
【００４９】
Ｓ７２において、再生履歴Ｈｋに転送候補となるコンテンツがない場合（再生履歴Ｈｋに登録されているコンテンツ全てに無効フラグが設定された場合）（Ｓ７２：ＮＯ）、または、Ｓ７４において、許容量Ｙｋが転送容量ｙと予測容量ｘとの合計よりも小さい場合（Ｓ７４：ＮＯ）、転送残容量（Ｙｋ−ｙ）を許容量Ｙｋ−１に加算し（Ｓ７７）、再生履歴Ｈｋにおけるコンテンツ転送処理（Ｓ７）を終了する。転送残容量（Ｙｋ−ｙ）とは、再生履歴Ｈｋに設定された許容量Ｙｋの一部を余して転送コンテンツリスト作成処理（Ｓ７）を完了した場合に生じる残容量である。このように、再生履歴Ｈｋを基にして転送コンテンツリストを作成したときに生じる転送残容量（Ｙｋ−ｙ）を、再生履歴Ｈｋ−１に割り当てられたコンテンツ許容量Ｙｋ−１に加算することによって、ポータブルデバイス２００の記憶装置２２０の容量を無駄なく使用することができる。
【００５０】
以上、本発明におけるコンテンツ転送システムでは、複数の期間の再生履歴を有し、それらのうち直近の再生履歴であればあるほど高い重要度が設定され、重要度の高い再生履歴を基にして転送コンテンツリストに登録されたコンテンツは高ビットレートに変換され、重要度の低い再生履歴を基に転送コンテンツリストに登録されたコンテンツは低ビットレートに変換される。その結果、過去に遡るほどコンテンツのデータ容量が小さくなるビットレートに変換され、直近に頻繁に聴いたコンテンツほど高品質（高音質）なフォーマットまたはビットレートに変換されてポータブルデバイスに転送される。さらに、重要度の高い再生履歴ほど許容量を大きく設定し、嗜好ポイントの高いコンテンツを転送コンテンツリストに登録することにより、ユーザが直近に頻繁に聴いたコンテンツがポータブルデバイスに多く転送され、昔に聞いたコンテンツは少量に転送される。従って、ユーザの経時的な嗜好変化を捉えつつ、ポータブルデバイスの記憶装置の容量を有効に利用して、ユーザが転送を所望する可能性の高いコンテンツほど、可能な限り高品質なフォーマットまたはビットレートでポータブルデバイスに転送することができる。
【００５１】
次に、本発明の別の好ましい実施形態について説明する。上述の処理と同一の場合、その説明を省略または簡略して説明する。図１４は、本発明の別の実施形態における、各再生履歴Ｈｎに基づく転送コンテンツリスト作成処理を示すフロー図である。
【００５２】
転送コンテンツリスト作成処理（Ｓ７）において、転送容量ｙを初期化後（Ｓ７１）、再生履歴指定変数ｋが最大重要値であるか否かを判断する（Ｓ７９）。再生履歴指定変数ｋが最大重要値である場合（Ｓ７９：ＹＥＳ）、ユーザの意図的によりポータブルデバイス２００に転送させるコンテンツ（指定コンテンツ）があるか否かを判断する（Ｓ７１０）。具体的には、コンテンツに対して指定フラグが設定されており、その指定フラグがオンであるコンテンツがあれば、指定コンテンツがあると判断し（Ｓ７１０：ＹＥＳ）、指定コンテンツを転送コンテンツリストに登録する（Ｓ７１１）。指定フラグは、ユーザが新規にパーソナルコンピュータ１００にコンテンツを格納した場合に自動的にオンされたり、ユーザが所望するコンテンツを個々に指定してオンされたり、プレイリストを作成した際に自動的またはユーザの選択によりオンされる。次に、登録したコンテンツに対し、無効フラグをオンにする（Ｓ７１２）。そして、指定コンテンツの持出回数をカウントする（Ｓ７１３）。なお、持出回数は、嗜好ポイントに加算される。次に、指定コンテンツの合計容量Ｓを計算し、上限容量Ｙｋから減算する（Ｓ７１４）。再生履歴指定変数ｋが最大重要値でない場合（Ｓ７９：ＮＯ）や、指定コンテンツが無いと判断した場合（Ｓ７１０：ＮＯ）は、転送コンテンツリストを作成する（Ｓ７２〜Ｓ７８）。
【００５３】
こうすることにより、頻繁に聴いていなかったコンテンツや、新しくパーソナルコンピュータ１００に格納したコンテンツ、つまり、嗜好ポイントが低いコンテンツをポータブルデバイス２００に転送させることができ、よりユーザが所望するコンテンツをポータブルデバイスに転送することができる。また、持出回数を嗜好ポイントに加算しているので、次回のコンテンツ転送の際に、よりユーザの嗜好に合ったコンテンツ転送をおこなうことができる。
【００５４】
以上、本発明に係るコンテンツ情報表示装置の好ましい実施形態の例について説明したが、上述した実施の形態は本発明を実施するための例示に過ぎない。例えば、本実施例において、ポータブルデバイスの残容量を全て使用するように説明したが、残容量のうち転送に使用する容量を、ユーザが指定するようにしても良い。その場合は、ユーザが操作手段により所望する容量を入力し、その入力された容量を基に、許容量リストを作成する。
【００５５】
また、本実施例においては、重要度の度数と同じ数だけの再生履歴を再生履歴リストに登録するようにしたが、任意の数の再生履歴を再生履歴リストに登録させるようにしても良い。例えば、音声処理部で変換可能な全てのビットレート（またはフォーマット）の数と同じだけの再生履歴を再生履歴リストに登録しても良い。その場合、ユーザによって指定される、ポータブルデバイスに転送する際にコンテンツが変換されるビットレートの数に基づいて、コンテンツ転送処理に利用する再生履歴を選択する。具体的には、図３のように、音声処理部で変換可能な全てのビットレートが１６個ある場合、再生履歴リストには１６の再生履歴が登録される。そして、ポータブルデバイスに転送する際にコンテンツが変換されるビットレートが、例えば図２に示すように、８つ指定された場合、再生履歴リストに登録されている再生履歴のうち、直近の再生履歴から８つの再生履歴を用いてコンテンツ転送処理を実行する。
【００５６】
また、本実施例においては、音声処理部で可能な変換をフォーマットがｍｐ３におけるビットレート変換のみで説明したが、その限りではなく、音声処理部で可能な変換が、任意のフォーマットおよびそのフォーマットにおける任意のビットレートであっても良い。その場合、変換可能なフォーマットおよびそのフォーマットにおけるビットレートも含む、図３と同様なリストを作成すれば良く、ユーザがそのリストの中からポータブルデバイスに転送する際にコンテンツが変換されるビットレートを指定するようにすれば良い。
【００５７】
また、本実施例においては、重要度が高いほど（重要度が高い再生履歴ほど）、多くのコンテンツが転送できるように許容量を大きくなるようにしたが、同程度の曲数をポータブルデバイスに転送したい場合は、曲数Ｊｎ＝ｉとすれば良い。
【図面の簡単な説明】
【００５８】
【図１】本発明の好ましい実施形態によるコンテンツ転送システムを示すブロック図である。
【図２】本発明の好ましい実施形態における重要度リストを示す図である。
【図３】本発明の好ましい実施形態による音声処理部で変換可能な全てのビットレートを示す図である。
【図４】本発明の好ましい実施形態における再生履歴リストを示す図である。
【図５】本発明の好ましい実施形態における許容量リストを示す図である。
【図６】本発明の好ましい実施形態における転送コンテンツリストを示す図である。
【図７】本発明の好ましい実施形態における目安容量リストを示す図である。
【図８】本名発明の好ましい実施形態によるポータブルデバイスで記録される再生履歴を示す図である。
【図９】本発明の好ましい実施形態によるパーソナルコンピュータにおける再生履歴更新処理を示すフロー図である。
【図１０】本発明の好ましい実施形態によるポータブルデバイスにおける再生履歴更新処理を示すフロー図である。
【図１１】本発明の好ましい実施形態によるコンテンツ転送処理を示すフロー図である。
【図１２】本実施例に好ましい実施形態おける、重要度ｎ、１曲あたりの容量Ｖ、曲数Ｊ、および許容量Ｙｎの具体的数値を示す図である。
【図１３】図１１中のＳ７の詳細な処理を示すフロー図である。
【図１４】別の好ましい実施形態による、Ｓ７の詳細な処理を示すフロー図である。
【符号の説明】
【００５９】
１００  パーソナルコンピュータ
２００  ポータブルデバイス
１１０、２１０  制御手段
１１１、２１１  ＣＰＵ
１１２、２１２  ＲＯＭ
１１３、２１３  ＲＡＭ
１２０、２２０  記憶装置
１３０、２３０  操作手段
１４０、２４０  再生手段
１４１、２４１  音声処理部
１４２、２４２  Ｄ／Ａコンバータ
１４３、２４３  増幅器
１５０、２５０  通信手段
１６０  ドライブ装置
【図１】
2008226318.tif 000007
【図２】
2008226318.tif 000008
【図３】
2008226318.tif 000009
【図４】
2008226318.tif 000010
【図５】
2008226318.tif 000011
【図６】
2008226318.tif 000012
【図７】
2008226318.tif 000013
【図８】
2008226318.tif 000014
【図９】
2008226318.tif 000015
【図１０】
2008226318.tif 000016
【図１１】
2008226318.tif 000017
【図１２】
2008226318.tif 000018
【図１３】
2008226318.tif 000019
【図１４】
2008226318.tif 000020